(57)【要約】【課題】周囲環境が苛酷であっても、花を長く日保ちさせることのできる花立てが求められている。【解決手段】花立て１ａは、容器内に水Ｗを貯留する水受容器２ａを備えている。この水受容器２ａは、上面が開口した四角箱状の容器本体３ａと、容器本体３ａの上面開口に着脱可能に装着されて上面開口を封止する蓋体４ａとから成っている。蓋体４の平面視ほぼ中央部には供花Ｓの茎束を挿し込むための花挿入孔５が形成されている。これらの容器本体３ａおよび蓋体４ａは断熱壁体９，１４で構成されている。また、花挿入孔５に装着される花保持筒１７を備えている。そして、水受容器２ａの下部に、墓石の供花穴２５に装着される脚体２３が垂設されている。【選択図】　　　図４
2004129974.tif 000002
【特許請求の範囲】
【請求項１】
容器内に水を貯留し容器上部に花挿入孔を有する水受容器を備えてなり、当該水受容器が断熱壁体で構成されていることを特徴とする花立て。
【請求項２】
花挿入孔に装着される花保持筒を備えた請求項１に記載の花立て。
【請求項３】
水受容器の下部に、墓石の供花穴に装着される脚体が垂設されている請求項１または請求項２に記載の花立て。
【発明の詳細な説明】
【０００１】
【発明の属する技術分野】
本発明は、水を貯留した花立てに関するものである。
【０００２】
【従来の技術】
従来、一般の墓石を図８に示す。図に示した墓石４０の前部には、上面に供花穴２５を有する花台石２４が設置されている。花台石２４の供花穴２５はそのまま供花と水を入れて使用されたり、あるいは金属製の花筒を装着して使用される。
ところで、供花穴２５の直径は５ｃｍか６ｃｍであり、供花の束を挿し込むと茎軸で満たされるため、供花穴２５内に収容される水は少量となる。加えて、最も墓参りの多いお盆の期間中は暑さが厳しい。そのため、供花穴２５内の水が早期に蒸発してなくなり、花枯れに至ることが多い。
【０００３】
そこで、下記の特許文献１に記載された自動給水装置が提案されている。この自動給水装置は、墓石の供花穴に装着される花筒の横に給水タンクを連結し、花の吸水と自然蒸発により花筒内の水が一定水位を下回ると、給水タンクに設けられた空気穴と注水穴の作用により給水タンクから花筒へ自動的に給水するようにしたものである。
【０００４】
【特許文献１】
特開２００２−２２３６４７号公報
【０００５】
【発明が解決しようとする課題】
しかしながら、上記のような酷暑の折りに、手で頻繁に、あるいは前記の自動給水装置を用いて自動的に水を補給したとしても、早期の花枯れは避けられない。これは、十分に補給されたとしても、水が例えば４５℃以上に沸き立つからである。すなわち、暑さの厳しいお盆にお墓に供えられた花は、２日と持たないのである。
【０００６】
本発明は、上記した従来の問題点に鑑みてなされたものであり、周囲環境が苛酷であっても、花を長く日保ちさせることのできる花立ての提供を目的とする。
【０００７】
【課題を解決するための手段】
上記目的を達成するために、本発明に係る花立ては、容器内に水を貯留し容器上部に花挿入孔を有する水受容器を備えてなり、当該水受容器が断熱壁体で構成されたものである。
【０００８】
また、前記構成において、花挿入孔に装着される花保持筒を備えたものである。
【０００９】
そして、前記した各構成において、水受容器の下部に、墓石の供花穴に装着される脚体が垂設されているものである。
【００１０】
【発明の実施の形態】
本発明の実施の形態を図面に基づいて説明する。ここに、図１は本発明の一実施形態に係る花立てを示す斜視図、図２は前記一実施形態に係る花立ての側断面図である。
各図において、この実施形態に係る花立て１は、容器内に水Ｗを貯留する水受容器２から成っている。この水受容器２は、上面が開口した四角箱状の容器本体３と、容器本体３の上面開口に着脱可能に装着されて上面開口を封止する蓋体４とから成り、水受容器２の内容量は例えば２リットルである。蓋体４の平面視ほぼ中央部には供花Ｓの茎束を挿し込むための花挿入孔５が形成されている。
【００１１】
そして、容器本体３は、外壁部６と内壁部７とが中空部を有して一体に形成され、外壁部６と内壁部７の中空部に例えば発泡ポリウレタンや発泡ポリスチロールなどの断熱材８が充填されている。すなわち、容器本体３は、外壁部６と内壁部７と断熱材８とから成る断熱壁体９で構成されている。一方、蓋体４は、外壁部１１と内壁部１２とが中空部を有して一体に形成され、外壁部１１と内壁部１２の中空部に例えば発泡ポリウレタンや発泡ポリスチロールなどの断熱材１３が充填されている。すなわち、蓋体４も、外壁部１１と内壁部１２と断熱材１３とから成る断熱壁体１４で構成されている。そして、蓋体４の内壁部１２の周縁部には係合リブ１０が垂設されている。この係合リブ１０が容器本体３の内壁部７の内周面と係合することにより、蓋体４が容器本体３の上面開口に装着固定されるようになっている。尚、容器本体３の外壁部６と内壁部７、および蓋体４の外壁部１１と内壁部１２の材質は、耐久性の高いものであれば特に限定されないが、例えば熱硬化性合成樹脂、板金、ステンレス鋼板などが挙げられる。
【００１２】
花挿入孔５の孔径は、一般的な花量の供花Ｓの茎束を挿通可能で、かつ、茎束との間に大きな隙間をもたせない径とするのが好ましい。これにより、水受容器２内の水Ｗは自然蒸発が抑えられ、専ら供花Ｓへの吸水に用いられる。従って、長期にわたり水枯れの心配がない。容器本体３の内径は供花Ｓの茎束径の２倍以上とすることが望ましい。これにより、供花Ｓの吸水があっても足りる十分な量の水Ｗが容器本体３内に確保される。
【００１３】
上記のように構成された花立て１では、蓋体４を開けた容器本体３の上面開口から、あるいは、封止した蓋体４の花挿入孔５から、容器本体３内に所望量の水Ｗが注ぎ込まれる。そして、花挿入孔５から供花Ｓの茎束が差し込まれる。その際に供花Ｓの量は花挿入孔５を茎束でほぼ塞ぎ得る量が好ましい。このように供花Ｓを差し込んだ花立て１は、例えばホテルの会議室、舞台、花店などに置かれる。
【００１４】
上記した花立て１は花挿入孔５が供花Ｓの茎束でおおよそ塞がれるので、水受容器２内の水Ｗが器外へ蒸散しにくい。加えて、茎束の周囲には水Ｗが豊富に存在するので、水Ｗの枯渇のおそれが少ない。加えて、水受容器２は断熱壁体９，１４で構成されているので、外部からの高熱は水受容器２で遮断され、水Ｗの昇温を抑止することができる。これらにより、供花Ｓの日保ちが格段と向上する。尚、水受容器２中に氷Ｆを入れておくと、よりいっそう供花Ｓが日保ちする。
【００１５】
次に、お墓で用いられる花立てを図３および図４に示す。各図に示した花立て１ａの水受容器２ａは先述の水受容器２とほぼ同じ構成であり、容器本体３ａと、花挿入孔５を有する蓋体４ａとから成っている。容器本体３ａは外壁部６と内壁部７と断熱材８とから成る断熱壁体９で構成されているが、内壁部７の上部に外向きの周鍔部１５が全周にわたって設けられている。蓋体４ａも外壁部１１と内壁部１２と断熱材１３とから成る断熱壁体１４で構成されており、内壁部１２の下端に外向きの周鍔部１６が全周にわたって設けられている。周鍔部１６は蓋体４ａが容器本体３ａの上面開口に装着されたときに周鍔部１５上に密着する。
【００１６】
そして、この花立て１ａは、蓋体４ａの花挿入孔５に装着される花保持筒１７を備えている。また、花挿入孔５の直下位置における容器本体３ａの内壁部７の上面に、皿状の受皿体１９が設置されている。この受皿体１９は周面に多数の通水孔２０，２０，２０，・・・を有している。
花保持筒１７は両端が開口した円筒体として形成され、上端開口は外向きに拡がった拡開形状に形成されていて供花Ｓの茎軸を挿し込みやすくなっている。下端開口の外径は前記した受皿体１９に収受され得る径に設定されている。花保持筒１７の上端開口下方の直管部には多数の通水孔１８，１８，１８，・・・が筒内外を貫通して設けられている。花保持筒１７の直管部の外径は、蓋体４ａの花挿入孔５に挿脱可能であり、かつ、花挿入孔５にほぼぴったりと装着される径に設定されている。これにより、水受容器２ａ内の水Ｗの器外への蒸散が抑止される。花保持筒１７の長さは花挿入孔５に挿入したときに下端が受皿体１９の底面に届く長さでよいし、それより短くして下端を遊ばせてもよい。このように下端を遊ばせる場合は、花保持筒１７上部の拡開部分を花挿入孔５の縁で保持させる。
【００１７】
一方、水受容器２ａの下部に円柱状の脚体２３が垂設されている。この脚体２３は、受皿体１９、シートパッキン２１、および内壁部７底面をそれぞれ貫通したボルト２２により内壁部７の下面に固定されている。脚体２３の外径は墓石４０（図８参照）の花台石２４の供花穴２５に挿脱可能な径、例えば一般的な供花穴２５の内径（５ｃｍまたは６ｃｍ）よりもわずかに小さな径に設定されている。
【００１８】
かかる構成の花立て１ａは、脚体２３が供花穴２５に挿入されて花台石２４上に設置される。これにより、花立て１ａは多少の風が吹いても倒れたり飛ばされたりしない。また、花立て１ａは花台石２４にあたかも一体的に設置されるので、墓石の外観を損なわせない。
この花立て１ａについても、水受容器２内に水Ｗが豊富に存在するし、断熱壁体９，１４で構成された水受容器２ａにより水Ｗの昇温が抑止される。また、花挿入孔５が花保持筒１７で塞がれているので、水Ｗが蒸散しにくい。従って、酷暑下でも供花が日保ちする。そのうえ、供花が紐などで結束されていなくても、花保持筒１７の存在により茎下部が纏まって花の見栄えがよく、しかも倒れにくい。因みに、水受容器２中の１．５リットルの水Ｗに３００ｇの氷を加えたところ、お盆の炎天下でも４日間ほど供花が枯れず、お盆期間（３日間）を通して日保ちした。
【００１９】
尚、本発明に係る花立ての外形は四角箱状のものに限らない。例えば、図５に示した花立て１ｂのような、有底有蓋の円筒状のものも含まれる。この花立て１ｂは、有底円筒状の容器本体３ｂと、円盤状の蓋体４ｂとからなる水受容器２ｂを備えたものであり、容器本体３ｂおよび蓋体４ｂは花立て１ａで述べたと同様の断熱壁体で構成されている。この花立て１ｂは仏前に供えるとよい。
【００２０】
また、図６に示した花立て１ｃのように、多数（ここでは１０個を例示）の花挿入孔５，５，５，・・・を有する横長の水受容器２ｃを備えたものも本発明に含まれる。この花立て１ｃの水受容器２ｃは、外壁部６と断熱材８とから成る断熱壁体９ａで構成されて上面開口を有する長四角箱状の容器本体３ｃと、外壁部１１と断熱材１３とから成る断熱壁体１４ａで構成されて容器本体３ｃの上面開口に被せられる蓋体４ｃとから成っている。前記の花挿入孔５，５，５，・・・は蓋体４ｃに形成されており、それぞれの花挿入孔５の直下位置における容器本体３ｃの上面に、既述した受皿体１９，１９，１９，・・・が設置されている。この花立て１ｃにおいて、花保持筒１７を用いない場合は各花挿入孔５から供花を挿し込み供花の茎下端をそれぞれの受皿体１９上に支持させるとよい。あるいは、花挿入孔５，５，５，・・・のそれぞれに図のような花保持筒１７，１７，１７，・・・を装着して用いることもできる。従って、花立て１ｃは、業務上、多量の花の日保ちが要求される、例えば花店、葬祭業者、お寺などで用いると好適である。
【００２１】
これまでの断熱壁体は断熱材を用いたものを例示したが、それ以外に図７に示すような中空構造の断熱壁体も本発明に含まれる。図７の花立て１ｄは、上面開口を有する有底円筒状の容器本体３ｄと、容器本体３ｄの上面開口を開閉可能に封止する蓋体４ｄとから成る水受容器２ｄを備えている。
容器本体３ｄは、それぞれの上端が全周にわたって溶接付けされたステンレス鋼製の外壁部６とステンレス鋼製の内壁部７とが中空部を有して一体に形成されている。外壁部６と内壁部７の中空部は予め空気が抜き取られて減圧空間２６となっている。これらの外壁部６と内壁部７と減圧空間２６とから断熱壁体９ｂが構成される。容器本体３ｄの上部外周面には雄ネジ部２８が形成されている。
蓋体４ｄも、それぞれの下端が全周にわたって溶接付けされたステンレス鋼製の外壁部１１とステンレス鋼製の内壁部１２とが中空部を有して一体に形成されている。外壁部１１と内壁部１２の中空部は予め空気が抜き取られて減圧空間２７となっている。これらの外壁部１１と内壁部１２と減圧空間２７とから断熱壁体１４ｂが構成される。蓋体１４ｂの下部内周面には、前記した容器本体３ｄの雄ネジ部２８と螺合する雌ネジ部２９が形成されている。蓋体４ｄには花挿入孔５が形成されている。
かかる構成の花立て１ｄは、錆に強くて機械強度が高く、耐候性があって断熱性が高く、比較的重量があるため、屋外用として好適である。但し、上記した中空断熱構造はステンレス製以外に、鏡ガラスなどを用いて構成することも可能である。
【００２２】
尚、上記の各実施形態では、容器本体と蓋体を別々に構成した水受容器を例示したが、前記の容器本体と蓋体を一体に形成するとともに容器上部に花挿入孔を有するものでも構わない。
【００２３】
【発明の効果】
以上詳述したように、本発明に係る花立てによれば、水受容器が断熱壁体で構成されているので、容器内の水が周囲の暑さの影響を受けにくい。そのため、水の昇温による花枯れを抑止することができる。
【００２４】
また、花挿入孔に花保持筒を装着した場合は、挿し込まれた花が花保持筒により安定に保持されて倒れにくくなる。
【００２５】
そして、水受容器の下部に脚体を有する場合は、墓石の供花穴に脚体が装着されるので、花立てが強風などで倒れたり飛んでいったりしない。
【図面の簡単な説明】
【図１】本発明の一実施形態に係る花立てを示す斜視図である。
【図２】前記一実施形態に係る花立ての側断面図である。
【図３】本発明の別の実施形態に係る花立てを示す斜視図である。
【図４】前記別の実施形態に係る花立ての側断面図である。
【図５】本発明の更に別の実施形態に係る花立てを示す斜視図である。
【図６】本発明の他の実施形態に係る花立てを示す図であり、（ａ）は側断面図、（ｂ）は（ａ）におけるＡ−Ａ線矢視図である。
【図７】本発明の更に他の実施形態に係る花立てを示す側断面図である。図である。
【図８】一般的な墓石を示す外観図である。
【符号の説明】
１，１ａ，１ｂ，１ｃ，１ｄ　花立て
２，２ａ，２ｂ，２ｃ，２ｄ　水受容器
５　　　花挿入孔
８，１３　　断熱材
９，９ａ，９ｂ，１４，１４ａ，１４ｂ　断熱壁体
１７　　花保持筒
２３　　脚体
２４　　花台石
２５　　供花穴
２６，２７　減圧空間
４０　　墓石
Ｓ　　　供花
Ｗ　　　水
【図１】
2004129974.tif 000003
【図２】
2004129974.tif 000004
【図３】
2004129974.tif 000005
【図４】
2004129974.tif 000006
【図５】
2004129974.tif 000007
【図６】
2004129974.tif 000008
【図７】
2004129974.tif 000009
【図８】
2004129974.tif 000010